(57)【要約】【課題】  本発明は、従来、日本語フォントの販売には少なくとも５種類の書体フォントのパッケージを用意して展示しなければ顧客の需要に応ずることができなかったが、それを全部販売棚に用意しておくことはパッケージ数の増大のため困難であり、顧客にとっても不便であったことに鑑み、需要供給の課題を解決することを目的とする。                                                【解決手段】  本発明は、暗号化された各種の書体フォントに対してそれぞれ特定の解除キーを店頭で購入し、フォントデータを収容したＣＤまたはＤＶＤをＰＣに挿入し、ＰＣの画面に表示された案内にしたがって前記解除キーを入力して１書体フォントをＰＣにインストールし、この１書体フォントのインストール後、他の暗号化された別の書体フォントに対して別の特定の解除キーをＰＣの画面に表示された案内にしたがって入力して別の書体フォントをＰＣにインストールするようにする方法である。【選択図】    図４
2006313418.tif 000002
【特許請求の範囲】
【請求項１】
暗号化された各種の書体フォントに対してそれぞれ特定の解除キーを店頭で購入し、フォントデータを収容したＣＤまたはＤＶＤをＰＣに挿入し、ＰＣの画面に表示された案内にしたがって前記解除キーを入力して１書体フォントをＰＣにインストールし、この１書体フォントのインストール後、他の暗号化された別の書体フォントに対して別の特定の解除キーを、ＰＣの画面に表示された案内にしたがって入力して他の書体フォントをＰＣにインストールするようにすることを特徴とするフォントの使用方法。
【発明の詳細な説明】
【技術分野】
【０００１】
本発明は、各種書体フォントの使用方法に関するものである。
【背景技術】
【０００２】
従来、日本語フォントを販売する際には、少なくとも次の５種類のフォントを集めて展示しておかねばならなかった。即ち、（１）Ｗｉｎｄｏｗｓ（登録商標）環境で使われるアウトライン日本語フォントとして使用するＴｒｕｅ  Ｔｙｐｅ、（２）Ｗｉｎｄｏｗｓ（登録商標）とＭａｃｉｎｔｏｓｈ（登録商標）のどちらでも使えるアウトライン日本語フォントとして使用するＯｐｅｎ  Ｔｙｐｅフォント、（３）Ｍａｃｉｎｔｏｓｈ（登録商標）環境で使われる表示用アウトライン日本語フォントとして使用するＡＴＭフォント、（４）ＰＳ低解像度フォントとして主にＭａｃｉｎｔｏｓｈ（登録商標）環境で使用するＰｏｓｔｓｃｒｉｐｔプリンタ用アウトライン日本語フォント、（５）ＰＳ高解像度フォントとして主にＭａｃｉｎｔｏｓｈ（登録商標）環境で使用するＲＩＰ（イメージセッター）用アウトライン日本語フォントであった。（図１参照）
【０００３】
現在の製品形態は前記フォント順に次のようなものから成る。即ち、前記（１）は１書体１パッケージの計６９パッケージで、１パッケージにつき１書体をＷｉｎｄｏｗｓ（登録商標）にインストールする。これでは、インストーラは不要で、ＰＳがフォントを認識してインストールする。
【０００４】
前記（２）は１書体１パッケージの計７２パッケージで、１パッケージにつき１書体をＷｉｎｄｏｗｓ（登録商標）／Ｍａｃｉｎｔｏｓｈ（登録商標）のいずれか１台にインストーラを使用してインストールするが、Ｐｒｏ．版とＳｔｄ．版がある。
【０００５】
前記（３）は３８書体セレクト式パッケージの計７パッケージで、１枚のＣＤに暗号化された３８書体を収録し、付属のインストールＦＤにて１書体を選択し、Ｍａｃｉｎｔｏｓｈ（登録商標）にインストールする。最新バージョン（新書体を含む）は、１書体１パッケージで、計６９パッケージもある。
【０００６】
前記（４）は３８書体をセレクト式パッケージの計７パッケージで、１枚のＣＤに暗号化された３８書体を収録し、付属のインストールＦＤにて１書体を選択し、Ｍａｃｉｎｔｏｓｈ（登録商標）とＰＳプリンタにインストールする。追加書体（新書体を含む）は１書体１パッケージで、計１７パッケージある。
【０００７】
前記（５）は３８書体セレクト式パッケージの計７パッケージで、１枚のＣＤに暗号化された３８書体を収録し、付属のインストールＦＤにて１書体を選択し、Ｍａｃｉｎｔｏｓｈ（登録商標）とＲＩＰ（イメージセッター）にインストールする。追加書体（新書体を含む）は、１書体１パッケージで、計１７パッケージある。
【０００８】
しかしながら、従来技術による製品形態としては、ＣＤ版では５種類のパッケージを必要とするため、販売店においてすべてを用意することは、数量が合計して２６５パッケージもあり、多すぎて販売棚に置くことが困難となっており、需要者にとって極めて不便なことであった。
【０００９】
ＣＤ版またはＤＶＤ版は、前記Ｔｒｕｅ  Ｔｙｐｅ、Ｏｐｅｎ  Ｔｙｐｅ、ＡＴＭ、ＰＳ低解像度、ＰＳ高解像度のすべてのフォントデータを収容し、５または１パッケージにするが、このＣＤまたはＤＶＤには暗号化されたフォントデータのみが収容されていても、そのままでは使用不可能である。
【００１０】
【特許文献１】特開平９−７３４８０号公報
【特許文献２】特開平１１−２５０１４５号公報
【発明の開示】
【発明が解決しようとする課題】
【００１１】
そこで、本発明は、前記５種類のＣＤ版から成るパッケージを、５枚のＣＤ版（ＣＤは１枚７００ＭＢ）または１枚のＤＶＤ版（ＤＶＤは１枚４．７ＧＢ）に収容することによって、前記のような欠点を一掃し、需要者にとって利用性の高い使用技術を提供することを目的とするものである。
【課題を解決するための手段】
【００１２】
本発明は、暗号化された各種の書体フォントに対してそれぞれ特定の解除キーを店頭で購入し、フォントデータを収容したＣＤまたはＤＶＤをＰＣに挿入し、ＰＣの画面に表示された案内にしたがって前記解除キーを入力して１書体フォントをＰＣにインストールし、この１書体フォントのインストール後、他の暗号化された別の書体フォントに対して別の特定の解除キーをＰＣの画面に表示された案内にしたがって入力して別の書体フォントをＰＣにインストールするようにする方法である。
【発明の効果】
【００１３】
本発明による新方式によれば、次のような効果がある。
【００１４】
(１) セレクト（書体選択方式）の継承
１) 従来のＦＤによる「セレクト方式」パッケージ削減の面から、有効的な販売方式であったが、ハードウェアメーカーはＦＤドライブの生産を中止する方向に進み、既に新機種の殆どのＰＣにはＦＤドライブが付いていない。このため、ＦＤによるキーの設定が不可能になってきた。
２) 他に、ハードウェアによるキー方式は「ドングル」による方法があるが、ドングル自体がコスト的に高く、実用的にならない。
(２) 製品コストの大巾削減
１) 従来、２６５もあったパッケージが５ないし１パッケージに削減できる。
２) 倉庫代が５／２６５（または１／２６５）に削減される。
３) 部材費の削減。
(３) 流通・販売店のメリット
１) 流通業者の送料負担の軽減。
２) 受発注、課金処理の容易さが期待できる。
３) 販売店では、パッケージ数が減ることにより、陳列棚のスペースを最小限にすることができ、製品を店頭に置いてもらえるようになる。
(４) 管理面のメリット
在庫・出庫・ＪＡＮコード管理が容易になる。また、印刷の版数が減り管理が容易になる。
(５) ユーザーへの対応
１) 製品購入から、フォント使用までの時間の短縮。店頭で購入したフォントを自宅に持ち帰り、キーを入力することにより、直ちに使用でき、緊急の仕事などに迅速に対応することができる。従来の通販、Ｗｅｂからの購入、ダウンロード購入は、販売元への購入申込→販売元からの通知（振込先指定）→銀行振り込み（または代引き指定）→入金確認後、販売店から発送、という手続きが必要であり、購入希望時から２週間近くを要していた。
２) 課金ではなく、店頭における直接の「商品の購入」であるから、通常の商品と変わりがない。
３) 「買ったものはすぐに使いたい。」というユーザー心理に対応することができる。
４) 購入したパッケージは、例え最初は１フォントだけのキー購入であっても、キーを買い足すことによって、いつでも追加のフォントを購入できることになり、パッケージが財産性を持つ。（ダウンロード販売では、無体物としてのフォントは使えるようになっても、有体物としては手元に残らない。）
(６) 製品のシンプルさ
イワタの全書体が、１または５つのパッケージに収納されている。
(７) インターネット不要
フォントは使用しても、インターネットは使用していないというユーザーも多い。Ｗｅｂ販売やＷｅｂからのキー購入の仕組みではないから、ＰＣを持っている者は誰でもフォントを購入して使用することができる。
【発明を実施するための最良の形態】
【００１５】
本発明に係る現製品の書体フォントをＰＣまたはプリンター・セッターにインストールするには、インストーラと呼ばれるフォントの流し込みが必要である。このインストーラは図３に示すような構造になる。
【００１６】
このＣＤには３８書体が収容されていて、１書体選択式のパッケージである。即ち、同梱されているＦＤ１枚で１種の書体フォントを認識させ、そのフォントだけをＰＣにインストールするものである。
【００１７】
Ｔｒｕｅ  Ｔｙｐｅ、Ｏｐｅｎ  Ｔｙｐｅ、ＡＴＭパッケージは暗号化されていないため、ＣＤを挿入すると、ＰＣがフォントを認識してインストールすることができる。１フォントについて１枚のＣＤが必要である。
【００１８】
本発明は、書体フォントのインストール形式を次のように改良し、パッケージの削減を図る。
【００１９】
各フォーマットを５枚のＣＤ（または１枚のＤＶＤ）に暗号化した状態で収容し、そのままでは使用できない製品を製作する。これによって、従来２６５もあったパッケージが５または１枚に削減できる。
【００２０】
製品を購入したユーザーは、店頭において使用せんとする書体フォント（群）のソフトキー（解除キー）を購入する。（図５（２）参照）
【００２１】
このソフトキーは、暗号化されたフォントデータを解除するもので、数桁の英数字を入力することによって、１つのフォントまたは複数のフォントの暗号を解き、自分のＰＣ上で使用可能な状態にする。
【００２２】
ユーザーは、店頭でのソフトキーの購入を原則とするが、買い忘れたり、追加購入を希望する場合は、メーカー（本件出願人）のウェッブサイトから直接購入することもできるようにする。ユーザーは店頭に出向いて追加のソフトキーを購入してもよい。
【００２３】
以上のシステムを図示したのが図４である。
【００２４】
まずソフトキー（解除キー）を店頭で購入したユーザーは、暗号化された書体フォントデータを収容したＣＤまたはＤＶＤをＰＣに挿入する。これにより自動的に開く画面の案内にしたがって、所定の書体フォントに対して特定の解除キーを入力し、そのフォントをＰＣにインストールするようにする。この関係を図示したのが図５である。
【００２５】
図５の(１)は、店頭で購入したソフトキー（解除キー）をインストールする以前のＰＣ画面を示し、インストールキーの入力案内をする。（２）は解除キーの一例を示す。
【００２６】
(３)は、前記解除キーの入力後、インストール開始ボタンを押すと、特定の１書体のインストールが開始されるＰＣ画面を示す。
【００２７】
１書体のインストールが終ると、前記(１)の画面が再び表われる。さらに別の書体フォントのインストールを続けるときは、別の特定の解除キーを入力する。
【００２８】
終了するときは、ＰＣ画面上のキャンセルのボタンを押し、インストール作業を終らせる。
【図面の簡単な説明】
【００２９】
【図１】従来製品のパッケージの場合を示す。
【図２】本発明の新製品形態を示す。
【図３】従来のインストール方法を示す。
【図４】本発明のインストール方法を示す。
【図５】(１)は最初のＰＣ画面を示す。(２)は店頭で購入する解除キーの一例を示す。(３)は解除キーを入力して表示されたＰＣ画面を示す。入力後、インストール開始のボタンを押すと、１書体フォントのインストールが開始するようになる。
【図１】
2006313418.tif 000003
【図２】
2006313418.tif 000004
【図３】
2006313418.tif 000005
【図４】
2006313418.tif 000006
【図５】
2006313418.tif 000007